(57)【要約】  本発明は、デジタル製造ユニットによって製品を製造する方法及びシステムであって、通信ネットワーク１を介して、製品を製造するサービスが、ネットワークに接続された通信デバイス２によって開始される、方法及びシステムに関する。デジタル製造ユニットによって、製品は、製造ユニットに提供される、製品の製造を記述したデータに従って製造され、通信ネットワーク内のデータベース５には、製造に利用可能な複数の製品を列挙した少なくとも１つのデータカタログ６が記憶されている。各製品に対して、製品の製造を記述したデータを含む少なくとも１つのデータのセットが割り当てられ、通信デバイス２に割り当てられた情報に従って、特に、通信デバイス２のネットワーク識別子若しくはデバイス識別子、又はローカリティに従って、製造に利用可能な全ての製品のサブセットからの少なくとも１つの製品が、通信デバイス２のディスプレイユニット上に表示される。このサブセットは、通信デバイス２に割り当てられた情報に従って形成され、サブセットから選択された少なくとも１つの製品が、製品視覚化記述データによって表示される。この製品視覚化記述データは、サーバー３、特に製造サーバー３によって通信ネットワーク１を介して通信デバイス２に送信され、製品製造用に記憶されたデータよりも少ないデータの量を有し、製品製造用に記憶されたデータよりも少ないデータの量を有する。少なくとも１つの選択された製品の変更の準備を記述したデータが、通信デバイス２によってサーバー３、特に製造サーバー３に送信される。少なくとも１つの製品の製造を記述したデータベース５に記憶されたデータ及び変更の準備を記述したデータは、変更された製品の製造を記述した全体データに組み合わされ、この組み合わされた全体データに基づいて、変更された製品が製造ユニットによって製造される。【選択図】図１
2016524245.tif 000002
【特許請求の範囲】
【請求項１】
デジタル製造ユニットによって製品を製作する方法であって、前記製品を製作するサービスが、通信ネットワーク（１）を介して該ネットワークに接続された通信デバイス（２）によって開始され、前記製品は、デジタル製造ユニットを用いて、該製造ユニットに利用可能にされた前記製品製作を記述した前記データに基づいて作製される、方法において、
ａ．製作に利用可能な複数の製品を含む少なくとも１つのデータカタログ（６）が前記通信ネットワーク内のデータベース（５）に設けられ、前記製品製作を記述したデータを含む少なくとも１つのデータレコードが各製品と関連付けられ、
ｂ．製作に利用可能な全ての前記製品のサブセットからの少なくとも１つの製品が、前記通信デバイス（２）と関連付けられた情報に基づいて、特に、前記通信デバイス（２）のネットワーク識別子若しくはデバイス識別子、又はローカリティに基づいて、前記通信デバイス（２）のディスプレイユニット上に表示され、
ｃ．前記サブセットは、前記通信デバイス（２）と関連付けられた前記情報に基づいて形成され、
ｄ．前記サブセットから選択された前記少なくとも１つの製品は、製品視覚化を記述した前記データを用いて表示され、該データは、サーバー（３）、特に前記製造サーバー（３）から前記通信ネットワーク（１）を介して前記通信デバイス（２）に送信され、該データは、製品製作用に記憶された前記データよりも少ないデータ量を有し、
ｅ．データが、前記通信デバイス（２）から前記サーバー（３）、特に前記製造サーバー（３）に送信され、該データは、少なくとも１つの選択された製品に対する変更の製作を記述し、
ｆ．前記データベース（５）に記憶され、前記少なくとも１つの製品の前記製品製作を記述した前記データと、前記変更の前記製作を記述した前記データとが組み合わされて、前記変更された製品の前記製作を記述した全体的なデータが形成され、
ｇ．前記変更された製品は、前記組み合わされた全体的なデータに基づいて製造ユニットによって製作される、
ことを特徴とする、デジタル製造ユニットによって製品を製作する方法。
【請求項２】
前記製品製作を記述した前記データに加えて、各製品の製品視覚化を記述した前記データは、データベース、特に前記同じデータベースに記憶されるか、又は製品視覚化を記述した前記データは、特に、該データが視覚化のために前記通信デバイス（２）に送信される直前に、製品製作を記述した前記データから形成されることを特徴とする、請求項１に記載の方法。
【請求項３】
前記サーバー（３）、特に前記製造サーバー（３）に送信することができるか又は送信された、製品に対する変更を製作する前記データは、特に前記未変更の製品を製作する前記データとともに、該未変更の製品に割り当てられる変更ファイル、特に、前記製品製作を記述した前記未変更の製品データに少なくとも割り当てられる変更ファイルに記憶されることを特徴とする、請求項１又は２に記載の方法。
【請求項４】
前記製品を表示するために前記通信デバイスに送信される製品視覚化を記述した前記データは、特に製作及び／又は視覚化に関して、並びに特に製作及び／又は視覚化に関してそれらに基づく少なくとも１つの変更に関して、元の製品を記述したデータから形成されることを特徴とする、請求項１〜３のいずれか１項に記載の方法。
【請求項５】
製品又は製品変更と関連付けられた各製品及び／又は各変更の情報が記憶され、特に、
ａ．特に、少なくとも１つの変更を有する製作された製品からのロイヤルティーが前記元の製品の作成者及び前記少なくとも１つの変更の単数又は複数の作成者の間で分割される前記比率についての情報を提供するロイヤルティー取り分、
ｂ．ランキング、特に、行われた変更のシーケンス、
が記憶されることを特徴とする、請求項１〜４のいずれか１項に記載の方法。
【請求項６】
前記ロイヤルティー取り分は、前記元の製品及び前記少なくとも１つの変更のデータ量、特に、各場合において製作に必要とされる前記データに基づいて、又は前記元の製品及び少なくとも１つの変更のベクトルグラフィックスのノードの数に基づいて決定されることを特徴とする、請求項５に記載の方法。
【請求項７】
それぞれの前記作成者に関する情報が、各製品及び／又は各変更について記憶され、前記情報は、特に、前記作成者の通信デバイス（２）と関連付けられた情報、特にネットワーク識別子又はデバイス識別子によって提供又は形成されることを特徴とする、請求項１〜６のいずれか１項に記載の方法。
【請求項８】
サブセットを形成する前記通信デバイス（２）と関連付けられた前記情報は、以下の情報、すなわち、
ａ．用いられる前記通信デバイスについて直接決定されるか、又は前記デバイスの識別子若しくは前記デバイスとともに用いられる識別子から間接的に導出されるローカル情報、特に国情報、
ｂ．前記通信デバイスのデバイス識別子又は通信識別子、特に、ＣＬＩ、ＨＬＲ、ＶＬＲ、ＩＰアドレス、ＩＭＳＩ、
ｃ．前記通信デバイスにおいて用いられるＳＩＭカードの識別子、
のうちの１つであることを特徴とする、請求項１〜７のいずれか１項に記載の方法。
【請求項９】
システムであって、請求項１〜８のいずれか１項に記載の方法を実行するように構成されていることを特徴とする、システム。
【発明の詳細な説明】
【技術分野】
【０００１】
本発明は、デジタル製造ユニットによって製品を製作する方法であって、製品を製作するサービスが、通信ネットワークを介してこのネットワークに接続された通信デバイスによって開始され、製品が、製造ユニットに利用可能にされるこの製品製作を記述したデータに基づいてデジタル製造ユニットを用いて作製される、方法に関する。
【背景技術】
【０００２】
製造ユニットは、従来技術において知られており、例えば、プロトタイプ又は交換部品等の３次元製品を製作するのに頻繁に用いられる。この場合、基本的には、取り去ることによって動作する製造機（fabricators）と、加えることによって動作する製造機とが区別される。前者の製造機によると、取り去ることによって製品を製作するために、材料が、材料ストック、例えば材料で満たされたブロックから除去され、例えば機械加工が該当する。後者の製造機は、多くの場合、３Ｄプリンターとしても知られており、最初に述べた製造機と比較して、製品を製作するときに材料浪費が全く生じないか又はほぼ生じないという利点を有する。
【０００３】
この種の３Ｄプリンターの動作原理は、本質的には、物理的若しくは化学的な硬化又は溶融プロセスによって層状に製品を製作することに基づいており、プラスチック材料、合成樹脂、セラミックス又は金属が一般的な材料として用いられる。
【０００４】
本発明に関して、「製造ユニット」という用語は、３次元的に動作する製造ユニットと、任意選択的に、２次元的にのみ動作するそのようなユニットとの双方を含む。製造ユニットは、特にインダストリー（Industry）４．０（モノのインターネット）の使用分野において、データ、特にＣＡＤデータを処理するシステム及び／又は機械も指す。
【０００５】
この場合、製作は、基本的には、必要とされる製品に基づいて、製品製作を記述したデータ、例えばＣＡＤデータが、これらのデータに基づいてその後に作製を実行するために、製造ユニット又は当該製造ユニットを制御するユニットに提供されるように機能する。この場合、製品製作を記述したデータが製造ユニットを起動することが直接可能であることを任意選択で意図することもできるし、処理されたデータを用いてその後に製品製作を実行するために、上記製品製作を記述したデータが最初に処理を必要とすることを任意選択で意図することもできる。
【０００６】
冒頭に述べたタイプの製造ユニットは比較的高価なデバイスであるので、従来技術では、企業は、自らの製造ユニットを、顧客注文において必要とされる製品を製作することに利用可能にするとともに、製作後は上記ユニットを顧客に利用可能にすることが更に一般的なものとなっている。
【０００７】
このために、製品の製作に関心がある顧客は、製品製作を記述した必要なデータ、すなわち、例えばＣＡＤデータを、製造機を用いて製品を製作することを提供するサービスプロバイダーに提供すること、及びサービスプロバイダーが、それに応じて、上記データに基づいて製品を製作するために上記提供されたデータを用いることが意図される。
【０００８】
この状況で用いられる一般的なＣＡＤファイルフォーマットは、ＳＴＬファイル（表面テッセレーション言語）又はＶＲＭＬファイル（仮想現実モデリング言語）又はベクトルファイルとして知られているものである。
【０００９】
特に、複雑な製品の場合、送信されるファイルは、それに応じてかなりのファイルサイズを有する場合があり、その結果、従来技術においては、このため、特に、多くの電気通信プロバイダーが非常に高速のダウンロード速度をそれらのインターネットデータ料金で提供するが、アップロード速度が多くの場合、それよりも何倍も遅いことが考慮されるとき、製品製作を記述したファイル、例えば前述のタイプのＣＡＤファイルをアップロードするのに長い時間を要するということから問題が生じる。
【００１０】
したがって、サービスプロバイダー自身の製造ユニット上で顧客注文の製品を作製することをそれに応じて提供したいサービスプロバイダーは、多くの場合、特に、数人の顧客がデータを同時に転送したいときに、送信に利用可能な帯域幅に起因した問題に直面する。
【００１１】
加えて、サービスプロバイダーがその少なくとも１つの製造ユニット上での製品の製作を依頼することを提供するビジネスモデルが従来技術において知られている。これらの製品は、サービスプロバイダーによって既に記憶されており、例えば他の顧客によって最初にアップロードされて、公開のために利用可能にされたものである。この場合、顧客は、通常、必要とされる製品を、多数の製品を含むデータカタログから選択することができ、選択された製品が、その後、注文に応じてその顧客向けに作製される。
【００１２】
この場合、顧客は、関心がある場合に、データカタログに表された製品を正確に注文することができるが、これは、顧客の希望に従って製品を個別化することが可能でないことが問題となることが判明している。
【００１３】
現在の従来技術によれば、この種の個別化には、顧客が、製品製作を記述した問題となっているデータに対して自身の変更を行い、そして、製品製作を記述した変更済みデータをサービスプロバイダーに返信するために、これらのデータを最初にサービスプロバイダーから顧客に転送しなければならないことが必要とされる。
【００１４】
その結果、顧客へのダウンロード及び顧客によるアップロードの双方にかなりの量のデータのデータトランスポートが必要とされるが、このデータトランスポートは、特に、この種のサービスが複数の顧客によって同時に用いられるとき、相互ネット（internet）接続の帯域幅制限の理由によって、現在のところほとんど不可能である。
【発明の概要】
【発明が解決しようとする課題】
【００１５】
したがって、本発明の目的は、データトランスポートと関連した技術的問題を克服するとともに、顧客のための個別化、すなわち、カタログから製作される製品を顧客の希望に従って変更する可能性を許容する方法及びシステムを提供することである。
【００１６】
本発明の更なる目的は、必要とされる製品を製作するときに制限を考慮することを確保することである。これらの制限は、例えば、技術的な条件又は法的若しくは地域的な条件に由来するものである。
【課題を解決するための手段】
【００１７】
したがって、上記目的は、顧客が技術的な理由又は法的若しくは地域的な理由から製作していることが認められていない製品、又は製作が本ケースに関係した顧客にとって適切でない製品は、最初から顧客に提供されず、それによって、送信帯域幅が節約されることから、好ましくは本発明に従って達成される。
【００１８】
この目的は、製作に利用可能な複数の製品を含むデータカタログが通信ネットワーク内のデータベースに設けられ、製品製作を記述したデータを含む少なくとも１つのデータレコードが各製品に関連付けられていることから、本発明に従って達成される。
【００１９】
本発明に必須のこの第１の特徴は、サービスプロバイダーが、顧客が電気通信ネットワークを介して自身の通信デバイスによって選択することができる複数の製品を入手可能にし、その後、製作のためにデータカタログから選択された製品を製作するようにサービスプロバイダーに依頼することができることを保証する。
【００２０】
本発明による方法の更に重要な態様は、製作に利用可能な全ての製品の一サブセット又は全サブセットからの少なくとも１つの製品が、特に選択のために、通信デバイスと関連付けられた情報に基づいて、特に、ネットワーク識別子若しくは通信デバイスのデバイス識別子等の識別子に基づいて通信デバイスのディスプレイユニット上に表示されるか、又は通信デバイス若しくは顧客のローカルな位置についてのローカル情報（ローカリティ）に基づいて通信デバイスのディスプレイユニット上に表示される。この場合、本発明によれば、このサブセットは、通信デバイスと関連付けられた情報、すなわち、例えば識別子又はローカリティに基づいて形成されることも意図される。
【００２１】
本発明によるこの態様は、ここで、潜在的な顧客が、自身の通信デバイスを用いるとき、サービスプロバイダーのカタログから個別の製作のための製品を選択するために、このカタログから全ての製品を提供されず、逆に、サブセットが、通信デバイスと関連付けられた情報に基づいて全ての製品のうちの多数のものから最初に形成されることを達成する。このサブセットは、製品の選択をこのサブセットのみから行うことができるように完全に又は部分的に表示される。
【００２２】
サブセットを形成するために、例えば、関連付けられた情報が、顧客の通信デバイスからネットワークを介したサービスへの通信ステップ、特にサーバーへの通信ステップ、例えばサービスが行われている電気通信ネットワーク内の製造サーバーへの通信ステップにおいて入手可能にされることが意図される。
【００２３】
この場合、例えば、法的制限を考慮に入れたサブセットが形成されることを意図することができる。具体的には、例えば、提供されたデータカタログ内の幾つかの製品は、特定のローカル領域、例えば１つ又は複数の特定の国からの顧客に向けた製作にのみ利用可能であることを意図することができる。これは、例えば、幾つかの製品が、幾つかの国では産業財産権によって保護されているのに対して、他の国では、これらの製品は財産権を受けていないことに起因している場合があり、その結果、財産権を受けている国では、財産権保有者の許可がなければ、プロバイダーは、当該国において、これらの製品の製作及び提供が認められない。
【００２４】
したがって、上記方法によれば、ローカル領域、特に顧客の要求がサービスプロバイダーに対して行われた国が、通信デバイスと関連付けられた情報のうちの１つから、例えば、デバイス識別子、ネットワーク識別子、ＳＩＭカード番号又は他の同様の識別子から決定され、その後、この情報、すなわち、特に顧客のローカリティに基づいて全ての入手可能な製品のセットからサブセットを形成することを意図することができる。それに応じて、このサブセットのみを選択のために顧客に表示することを意図することができる。
【００２５】
したがって、この実施の形態では、関連付けられた情報は、それ自体、ロケーション情報を直接形成せず、逆に、ローカル情報を関連付けられた情報から間接的に決定／形成することができる。
【００２６】
関連付けられた情報は、それ自体、ローカル情報／ローカリティ、特に、通信デバイスについて任意選択で当該通信デバイスによって具体的に測定されるものを直接表すことも可能である。ここで、「ローカリティ」は、一般に、システム、特に通信デバイス、顧客、機械が位置しているロケーションを意味する。
【００２７】
従来技術では、ローカリティ決定は、また、ロケーション決定、位置決定も、例えば、ＩＳＯ１９７６２−５、ＩＳＯ／ＩＥＣ１９７６２−５：２００８に従って行われる。しかしながら、これは、更なる技術的パラメーター及び他の技術的パラメーターによって発明的な方法で決定することもできる。すなわち、このように、例として、全体的には直接的な即時のローカリティ決定及び／又は間接的なローカリティ決定によって決定することもできる。
【００２８】
直接的なローカリティ決定は、特に全地球測位システム（ＧＰＳ）、特にＮＡＶＳＴＡＲ  ＧＰＳ、ＧＬＯＮＡＳＳ、Ｇａｌｉｌｅｏ、ＣＯＭＰＡＳＳによって行われる。
【００２９】
間接的なローカリティ決定は、特に、識別子をローカリティと関連付けることによって、特に、顧客番号、バイオメトリックデータ、ＣＬＩ、ＨＬＲ、ＩＰアドレス、ネットワーク識別子、ネットワークアドレス、ＷＬＡＮ識別子、ＷＬＡＮ名、ＷＬＡＮルーター識別子、ＤＨＣＰサーバー識別子、移動ネットワーク識別子、デバイス識別子を実際のローカリティ及び／又は推定された可能なローカリティにリンクすることによって行われる。
【００３０】
したがって、例えば、各移動通信加入者及び／又は各通信デバイスが、一意の移動通信識別子、国際移動加入者識別子（ＩＭＳＩ）によって識別可能であること、及びローカリティが間接的に決定可能であることを可能にすることができる。特に、上記番号は、加入者に知られておらず、例えば、一時的移動加入者識別情報（ＴＭＳＩ）、ロケーションエリア識別子（ＬＡＩ）、移動ネットワークコード（ＭＮＣ）、ロケーションエリアコード（ＬＡＣ）からなる。
【００３１】
ロケーションエリア、すなわち、移動局のロケーション領域は、１つ又は複数の基地局のサービス領域からなり、ビジターロケーションレジスター（ＶＬＲ）に入力される。加入者がこの領域内に留まる場合、特に、ロケーション更新は行われないが、加入者が領域を変更する場合、エントリーが行われる。
【００３２】
ローカリティを決定する更なる識別子は、例として、ロケーションエリア識別子（ＬＡＩ）であり、領域を識別するために基地局によって用いられ、特に、国識別番号、ネットワーク識別番号及び領域識別番号からなる。
【００３３】
移動国コード（ＭＣＣ）は、更なる識別子であり、例として、独国の場合は「２６２」であるが、特に、パラメーターがＭＣＣ＝２６２であるか否か又はパラメーターが別の既知の国識別番号と等しいか否かを照会することによって、通信デバイスの国単位の技術的なローカリティ決定を可能にする。その結果、国、ロケーションとの関連付けが行われる。
【００３４】
ロケーションエリアコード（ＬＡＣ）は、交換局のサービスエリア内の正確なロケーション領域を示す領域識別番号を示す。
【００３５】
ホームロケーションエリアは、通常は全体として公衆ネットワークであるホームロケーションレジスターのサービスエリアであり、特に、交換局当たりの加入者が非常に多い場合には、複数のホームロケーションレジスターを動作させることが可能である。
【００３６】
ＧＳＭサービスエリアは、現在のロケーションを知る必要なく移動加入者に到達することができる領域である。この場合、特に、ＧＳＭネットワーク及び国が組み合わされ、これらの両者の間には、ローミングの合意が存在する。
【００３７】
ここに列挙した識別子は、例えば、直接用いてローカリティを決定することができるが、少なくとも間接的に用いてローカリティを決定することができる。例えば、上記識別子は、行列において国情報にリンクさせることができる。
【００３８】
さらに、一実施の形態では、サブセットが、要求側通信デバイスにおいて割り当てられた識別子に基づいて、全ての製品のセットから形成され、したがって、例えば、形成される製品サブセットにおける技術的な制限が取得されることを意図することができる。
【００３９】
例えば、顧客が、自身の移動電話を通信デバイスとして用いて、まさにこの電気通信デバイス用の保護カバー（protective covering）を製作してもらうサービスの要求を顧客注文として行った場合、この顧客の移動電話の型又は顧客の移動電話によって用いられるソフトウェアを、通信デバイスと関連付けられた情報、例えばデバイス識別子、シリアル番号又は他の識別子から決定し、その後、この特定の電気通信デバイスに適合した製品、例えば保護カバーを全ての入手可能な製品から利用可能にすることを意図することができる。
【００４０】
さらに、識別子は、例えば、少なくとも１つのデバイス識別子及び／又は通信識別子、特に、ＣＬＩ、ＨＬＲ、ＩＰアドレスも意味し、特に、各移動通信加入者は、国際移動加入者識別子（identity）（ＩＭＳＩ）によって識別可能であり、特に、これは、通常、加入者に知られておらず、例として、一時的移動加入者識別情報（ＴＭＳＩ）、ロケーションエリア識別子（ＬＡＩ）、移動ネットワークコード（ＭＮＣ）、ロケーションエリアコード（ＬＡＣ）からなる。
【００４１】
したがって、有利には、ローカリティは、間接的又は直接的に利用可能とすることもできるし、この種の識別子によって計算可能とすることもできる。
【００４２】
加入者識別情報モジュール、すなわちＳＩＭカードは、特に、機械、３Ｄプリンターにおいて少なくとも１つの通信デバイスと併せて用いるか、又はインダストリー４．０であるモノのインターネットのシステム用に少なくとも１つの通信デバイスと併せて用いて、ローカリティを決定することもでき、及び／又は識別子として用いることもできる。
【００４３】
加入者識別情報モジュール（ＳＩＭ）は、加入者識別に必要なデータを記憶するチップカード（スマートカード）及び／又はソフトウェアモジュール及び／又は仮想機械の少なくとも１つの部分であり、特に、１人のユーザーが複数の端末デバイス、例えば移動電話及び自動車電話を用いることができるという利点を提供する。恒久的データ及び安全性手順、並びに一時的データがＳＩＭ上に記憶される。
【００４４】
恒久的データは、例えば、個人識別番号（ＰＩＮ）及び国際移動加入者識別子（ＩＭＳＩ）である。
【００４５】
一時的データは、例えば、一時的移動加入者識別情報（ＴＭＳＩ）及びロケーションエリア識別子（ＬＡＩ）である。
【００４６】
ホームロケーションレジスター（ＨＬＲ）は、ネットワークにおける中央データベースであり、管理機能を支配する。各接続セットアップは、ＨＬＲを介してハンドリングされる。このデータベースは、半恒久的データ及び一時的データの双方を含み、例えば、移動加入者国際ＩＳＤＮ番号（ＭＳＩＳＤＮ）等の半恒久データ的を含む。この加入者国際ＩＳＤＮ番号は、国コード（ＣＣ）を含むグローバルに一意の１５桁の電話番号であり、国コードは、国識別番号であり、例えば、独国の場合は４９である。この情報／識別子は、コードを照会及び処理することによって国の法的領域及び／又はローカリティを決定するのに技術的に用いることもできる。更なる識別子は、国内宛先コード（ＮＤＣ）を形成する。この国内宛先コードは、その国における登録されたネットワーク用の識別番号であり、例として、Ｄｌネットワークの場合は１７１であり、Ｄ２ネットワークの場合は１７２である。
【００４７】
一時的データは、例えば、移動加入者ローミング番号（ＭＳＲＮ）によって提供することもできる。移動加入者ローミング番号は、転送番号又はロケーション番号、国の識別番号、ネットワークの識別番号及び現在のロケーション（ロケーションエリア）の関連付けられた交換局の識別番号、並びにローカル移動局識別情報（ＬＭＳＩ）を含む。ローカル移動局識別情報は、ＨＬＲデータのより高速な検索用の識別番号としても機能することができる。例として、上記ローミング番号は、ＶＬＲによって割り当てられる。
【００４８】
したがって、例えば、複数のＨＬＲが存在することもでき、例えば、１つ又は複数の交換局、動作サブシステム及び保守サブシステムに割り当てられる。
【００４９】
この識別子は、例えばローカルデータベースであるビジターロケーションレジスター（ＶＬＲ）も意味する。このローカルデータベースには、効率的な接続セットアップを保証することができるように、管理に必要とされるデータが一時的に記憶される。ＶＬＲは、ＨＬＲからのデータのコピーを含むが、特定のデータも含む。
【００５０】
更なる一時的データは、例えば、ＭＳＩＳＤＮ（移動加入者国際ＩＳＤＮ番号）、ＩＭＳＩ（国際移動加入者識別子）、ＭＳＲＮ（移動加入者ローミング番号）、ＬＭＳＩ（ローカル移動局識別情報）、登録されたサービスプロファイル又は特定のデータ、ＴＭＳＩ（一時的移動加入者識別情報）、ＬＡＩ（ロケーションエリア識別子）、ＣＫＳＮ（暗号鍵シーケンス番号）である。
【００５１】
例えば、ＧＳＭ端末デバイスは、デバイス識別子ＩＭＥＩ（国際移動局機器）によって機器識別情報レジスター（ＥＩＲ）に登録される。システムは、有利には、それによって識別することができる。このプロセスにおいて、システム及び端末デバイスについての詳細を様々なリスト、ファイル及びクラウド記憶手段に収集し、システムオペレーター及び／又はネットワークオペレーターに伝えることができる。したがって、例えば、ホワイトリスト、すなわち許可された端末デバイス、グレイリスト、すなわち障害のある端末デバイス、及びブラックリスト、すなわち盗難されたデバイス又は技術的欠陥のあるデバイスが存在する。
【００５２】
全ての識別子、特にデバイス識別子は、各場合における特定のコードを照会、決定及び処理することによって、例えば、ローカリティを識別し及び／又は国の法的領域を画定するのに用いることができ、それによって、全体的な帯域幅が節約される。
【００５３】
複数の全ての入手可能な製品からのサブセットの形成は、上述した例に限定されるものではなく、逆に、他の基準も用いることができ、これらの他の基準に従って、サブセットが、通信デバイスと関連付けられた情報に基づいて全ての製品のセットから形成され、このサブセットのみが、選択のために顧客に表示され、したがって、データ量削減が既に達成されている。
【００５４】
さらに、本発明によれば、顧客固有の製作の製品を製品のサブセットから選択し、この製品を、製品視覚化を記述したデータによって、例えば要求側顧客の電気通信デバイス上に表示することが意図される。製品視覚化を記述したこれらのデータは、サーバー、例えば製造サーバー又は仮想サーバーから通信ネットワークを介して通信デバイスに送信され、製品製作用に記憶されたデータよりも少ないデータ量を含む。
【００５５】
ここで、上記方法を実行するとき、少なくとも２つの異なるタイプのデータの区別を行うこと、具体的には、一方で、製品製作を記述したデータが存在し、他方で、上記顧客が注文する製品の知識を得るために、要求側顧客の通信デバイス上に製品をどのように視覚化するのかを単に記述しただけのデータが存在することも本発明に必須である。ここで、本発明によるこの措置も、要求側顧客とサービスプロバイダーとの間で転送しなければならないデータ量を削減するように、視覚化に用いられるデータは、製作に必要とされるデータよりも少ないデータ量を有することが必須である。
【００５６】
本発明によれば、顧客は、製作される製品を顧客固有の方法で変更するオプションを有する。ここで、例えば、顧客は、個人として顧客に関係した方法で製品を個別化したい場合もあれば、顧客の特定の要件を満たす別の形態の個別化を所望する場合もあることを想定することができる。その場合、本発明によれば、データを通信デバイス、すなわち、特に要求側顧客の通信デバイスから製造サーバーに送信することが意図される。このデータは、少なくとも１つの選択された製品に対する変更の製作を記述しており、そのため、その後、少なくとも１つの製品の製品製作を記述した、データベースに記憶されているデータと、変更の製作を記述したデータとは、通信ネットワーク内で、すなわち、特に製造サーバーによって組み合わされて、変更された製品の製作を記述した全体的なデータを形成することができ、変更された製品は、その後、組み合わされた全体的なデータに基づいて３Ｄ製造ユニットを用いて製作される。
【００５７】
ここで、変更された製品を製作するときに、カタログ製品に対する必要とされる顧客固有の変更を実現するのに必要とされる全体的なデータが、サービスプロバイダーによって、すなわち電気通信ネットワークにおいて最初に生成されることが本発明に必須であり、有利であることを指摘しておく。
【００５８】
製品に対する変更を記述するデータは、顧客とサービスプロバイダーとの間で単にトランスポートするだけでよく、これは、これらの状況が、顧客とサービスプロバイダーとの間で電気通信ネットワークを介して転送されるデータ量を大幅に削減することを可能にすることを意味する。
【００５９】
ここで、本発明によれば、変更の製作に関するデータを電気通信ネットワーク内で転送した後、先ず、元の製品の製作データと組み合わせることによって全体的なデータを形成し、次いで、例えば、変更された製品の視覚化を記述したデータを計算することによって、これらの全体的なデータから更なる視覚化を生成し、次いで、特に、製作依頼の最終確認前に、変更された全体的な製品の視覚化を顧客に提供し、注文製品に対する顧客の変更要件も満足に実施されているか否かを顧客が確認することを可能にすることを意図することができる。
【００６０】
本発明の状況では、製品製作を記述したデータに加えて各製品の製品視覚化を記述したデータを、データベース、特に同じデータベースに記憶することを一般に意図することができる。これは、顧客要求の場合に、必要とされる視覚化に用いられるデータをデータベースから直接ロードし、顧客に転送して、顧客の通信デバイス上に製品を表示することができるという利点を有する。これによって、視覚化に必要とされるデータに特に高速にアクセスすることが可能になる。ただし、逆に、これらの視覚化データを製作データと並列に記憶しておくために、記憶空間が更に必要とされることが予め想定される。
【００６１】
代替の実施の形態は、製品視覚化を記述したデータを、特に、このデータが視覚化のために通信デバイスに送信される直前に、製品製作を記述したデータから形成することも意図することができる。この実施の形態は、視覚化に必要とされるデータを電気通信ネットワーク、例えばデータベース内に記憶しておく必要がなく、逆に、顧客が特定の製品の製作を要求したときにのみ、視覚化データが、任意選択で個々の変更とともに製作データから形成され、その後、上記視覚化データが顧客に転送されるという利点を有する。
【００６２】
最後に述べた実施の形態は、特に、顧客が、上記記述に従って、必要とされる変更の製作データ、すなわち、例えば顧客の変更のＣＡＤデータをサービスプロバイダーに転送し、当該サービスプロバイダーが、変更の製作データを元の製品の製作データと組み合わせ、したがって、その後、それによって、変更された製品の製作データを生成し、視覚化データが、その後、これらの製作データから形成されて、この視覚化データが、特に最終注文前の検証のために顧客に送信されるときに有利である。
【００６３】
本発明による発展形態は、製品に対する変更を製作するデータであって、製造サーバーに送信されるデータを、別個に又は一実施の形態では未変更の製品を製作するデータとともに記憶することも意図することができ、したがって、ここでは、変更ファイルが、未変更の製品に割り当てられたデータベース、特に、製品製作を記述した未変更の製品データに割り当てられたデータベースに存在することを意図することができる。
【００６４】
したがって、例えば、カタログ及び／又は当該カタログから形成されたサブセットに従って入手可能な製品を表示するときに、元の製品と、他の顧客が未変更の製品に基づいて行い、選択に利用可能でもある変更のタイプとの双方を表示することを意図することができ、例えば、顧客がこれらの変更を公開したときに、これらの変更を他の顧客が用いることを意図することができる。したがって、例えば、最初の作成者が、サービスプロバイダーのカタログにおいて注文に利用可能な製品を設計し、場合によっては、複数の他の顧客がこのサービスプロバイダーにおいて入手可能なこの製品に基づいて変更も行い、それによって、顧客が、未変更の製品の製作及び他の顧客によって既に変更された製品の製作の双方を依頼することもできるし、元の製品に対する別の顧客の変更を更に変更することもできるということが起こり得る。
【００６５】
これらの場合のそれぞれにおいて、製品、すなわち元の製品又は顧客によって既に変更された製品の選択後は、単にこの製品の視覚化に必要とされるデータだけが、現在要求を行っている顧客に転送され、製品を製作するのに必要とされるデータは転送されず、このため、データ量が削減され、利用可能な帯域幅がより良好に利用される。したがって、上記手順は、１つの元の製品に基づいて、少なくとも１つの変更、及び場合によっては異なる作成者によって行われた複数の変更が、サービスプロバイダーのカタログにおいて製作に利用可能であることを意味することができるので、本発明は、各製品について及び／又は製品若しくは製品変更と関連付けられた各変更について、少なくとも１つの変更を有する製作された製品からのロイヤルティーが元の製品の作成者及び少なくとも１つの変更の作成者の間で分割される比率についての情報を提供する情報、特にロイヤルティー取り分が記憶されることを意図することができる。
【００６６】
ここで、例えば、ロイヤルティー取り分は、元の製品及び少なくとも１つの変更のデータ量、特に、各場合において用いられている製作に必要とされるデータに関するデータ量に基づいて決定されることを意図することができる。決定は、元の製品及び少なくとも１つの変更のベクトルグラフィックスのノードに基づいて行うこともできる。
【００６７】
顧客が、それに応じて製品を注文し、この顧客がその後、この製品に対して任意選択で自身の変更を行うが、この製品が、別の顧客によって行われた少なくとも１つの変更を伴った元の製品に由来する場合、少なくとも１回既に変更されている当該製品を注文するために現在の顧客によってサービスプロバイダーに支払われる購入価格の取り分／一部分は、元の製品の作成者に支払われ、現在の顧客が製品に対する以前の変更も組み込むとともに、任意選択で自身の変更を請け負う場合には、これらの以前の変更を行った単数又は複数の作成者に少なくとも一部分が支払われる。
【００６８】
さらに、ランキング情報も、製品／製品に対する変更に関する情報、例えば、どれくらいの数の変更があるのか及び／又は顧客間での製品／変更の人気に関する情報として記憶することができる。
【００６９】
ここで、それぞれの作成者に関する情報を製品ごとに及び／又は製品に対する変更ごとに記憶することが更に有利な場合がある。したがって、この情報は、変更に応じて、変更された製品に実質的に対応し、上記情報は、特に作成者の通信デバイスと関連付けられた情報、特にネットワーク識別子又はデバイス識別子によって形成される。
【００７０】
したがって、例えば、他の顧客による購入に利用可能になるようにサービスプロバイダーを用いて変更を記憶した顧客は、更なる詳細を提供する必要はなく、逆に、例えば匿名のままとし、別の顧客による注文の場合に、更なる詳細を提供する必要なく、単にその電気通信デバイスと関連付けられた特定の情報に基づいて、その変更の報酬を受け取ることも可能であり得る。
【００７１】
ここで、銀行の詳細を更に提供して、サービスプロバイダーが、それに応じて、この作成者に負うロイヤルティー取り分を転送することを可能にすることを任意選択で意図することができる。サービスプロバイダーが自身の内部アカウント管理を行い、サービスプロバイダーに登録された各顧客が、それに応じて、その内部で管理されたアカウントを有し、このアカウントには、別の顧客による注文の場合にそれぞれのロイヤルティー取り分に対応する金銭がクレジットされることを同様に意図することができ、顧客は、その後、後の時点において、例えば、この金銭が転送される銀行の詳細をこの時点においてのみ提供することによって、又は仮想的なものとして扱われているそのクレジットをこのサービスを介して注文することができる製品と交換することによって、この金銭を内部管理されたアカウントから引き出すように手配することができる。
【００７２】
製品に対する変更及び／又は製品のデータ、特にＣＡＤデータ等の製作に関するデータの生成の場合に、一発展形態は、顧客によって及び／又は顧客の通信システム若しくは通信インターフェースによって上記データを、或るローカリティ、すなわち或るロケーションに割り当てることも意図することができる。特に、このローカリティは、識別子、特にＣＬＩ、ＨＬＲ、ＩＰアドレスによって決定され、このように識別されたローカリティ内又はこのローカリティの周囲に画定された周辺領域内では、データは、決定されたローカリティ内において分散形式で記憶される。
【００７３】
この場合、特定のタイプの用途において、これらのデータは、仮想データベースに記憶することができ、及び／又は仮想機械（クラウド、クラウドコンピューティング）において処理することができ、特に、仮想データベースのローカリティは、識別子の法的な領域内に位置している。
【００７４】
更なる特定の用途においては、製品のデータ又は製品に対する変更のデータ、特に、ＣＡＤデータ、ベクトルグラフィックスデータを、デジタルカメラ、特にウェブカメラ及び／又は３Ｄカメラ又は３Ｄスキャナーによって検出し、記憶し、及び／又は処理、特に変更することも意図することができる。
【００７５】
ＣＡＤデータ、ベクトルグラフィックス、特に製品製作を記述したデータは、例えばＰＮＧフォーマットでトランスポートすることができる。
【００７６】
特定の用途において、使用アプリケーション、特にショップアプリケーションは、仮想機械を介して顧客用に生成され、特に、顧客の通信システム内で生成及び／又は処理される。
【００７７】
特定の用途において、製品を仮想化するデータは、少なくとも１つのグローバル仮想分散データベースに記憶することができ、製品製作用に記憶されるデータは、ローカル分散データベースに記憶することができる。これは、低帯域幅が顧客の通信デバイス上での視覚化に用いられると同時に、製作データが、特にデータ喪失から保護されるという利点を有する。
【００７８】
特定の実施の形態では、製品を変更するデータ、特に製品製作に関するデータを含む変更ファイルは、ローカル発信元サーバー、ローカルデータベースに残存することができ、製作に備えて、参照子、特にリンクによって呼び出すことができ、特に本発明によるサービス及び／又は方法は、サーバーによって提供することができる。これは、帯域幅が製作時にのみ必要とされ、製品が視覚化されるごとに必要とされないという利点を有する。この場合、製品の視覚化は、必ずしも製品の１：１の描写を表す必要はなく、製作は、変更が開発者によって公表されたときにのみ行われる。
【００７９】
本発明の一実施形態は、以下の図に基づいてより詳細に説明される。
【図面の簡単な説明】
【００８０】
【図１】インターネットを通信ネットワークとして用い、顧客がその通信デバイスを用いてサービスプロバイダーの製造サーバーにアクセスすることができることを示す図である。
【図２】製作される製品に関するロイヤルティーを利用する本発明による手順の更なる実施形態を示す図である。
【発明を実施するための形態】
【００８１】
図１は、例えば、インターネットを通信ネットワーク１として用い、顧客がその通信デバイス２を用いてサービスプロバイダーの製造サーバー３にアクセスすることができることを示している。このサーバーは、次に、同様に、例えば、インターネット又は内部ネットワークを介して実施される通信接続４を介して、少なくとも１つのデータベース５にアクセスする。このデータベースでは、作製のために選択することができる製品の少なくとも１つのカタログ６が入手可能である。この場合、製造サーバー３は、例えば通信接続４を介したデータベース５への直接アクセスを有することもできるし、それらの間に介在するサーバー７を介したアクセスを有することもできる。
【００８２】
顧客は、その通信デバイス２に示されており、この顧客は、例えば、インターネット１を介して、全ての製品のサブセットの作製を、任意選択で顧客固有の変更とともに依頼することができる。
【００８３】
このために、本発明は、各通信デバイス２が、ネットワークにおける通信に参加する基礎となるネットワーク識別子又はデバイスに個別であるデバイス識別子等の、デバイスに個別の少なくとも１つの識別子と関連付けられていることを利用する。電話について、この種の識別子は、例えば、ＣＬＩ識別子又はＨＬＲ（ホームロケーションレジスター）識別子若しくはＶＬＲ（ビジターロケーションレジスター）識別子によっても指定することができる。
【００８４】
表示されるデータ量及び／又は表示される製品を削減するために、ここでは、通信デバイスと製造サーバー３との間で通信中に転送される情報に基づいて、全ての入手可能な製品のカタログ６からサブセットが選択されることが意図される。ここでは、例えば、通信デバイス２が、特定の国、例えば独国に位置し、及び／又は通信デバイスの所有者が、独国の法令に従うものと判断することができる。この判断は、例えば、通信デバイスと関連付けられたネットワーク識別子に基づくことで可能である。
【００８５】
次に、独国において販売及び製作用に提供することが認可された製品のサブセットは、全ての入手可能な製品の全体のカタログ６から形成することができる。
【００８６】
ここで、顧客は、自身の通信デバイス２を用いて少なくとも１つの製品を選択することができる。これを受けて、選択された製品の視覚化データ、すなわち、顧客の通信デバイス、例えばコンピューター上に製品を示すのに必要とされるデータが上記顧客に送信される。
【００８７】
顧客は、この時、示された製品に対して変更を行うオプションを自身の通信デバイス上に有し、例えば、データを用いて必要とされる変更の製作を記述するために、従来のＣＡＤプログラムを用いて、そのためのＣＡＤデータが生成される。
【００８８】
顧客は、例えば、必要とされる変更の製作をＣＡＤファイルとして記述した、自身のコンピューター上に既に記憶されたファイルを用いることもできる。本ケースでは、この変更は、例えば、本特許出願の出願人のＴ−ＩＣＯＮとして示される。顧客が変更を自身で製作することの代替形態として、ここでは、サービスプロバイダーのデータベースからの変更ファイルを顧客に利用可能にすることを意図することができる。顧客は、これらのファイルを、当該顧客が注文する製品に対する個々の変更に用いることができる。これらのファイルは、それに応じて、製造サーバー３から通信デバイス２にダウンロードされる。
【００８９】
ここで、例えば、顧客が、満足な結果に達し、そのように変更された製品の製作の依頼を決定するまで、自身の電気通信デバイス上の製品の表示に、元の製品に対する視覚化された変更を位置決めすることを意図することができる。
【００９０】
ここで、本発明によれば、顧客が、単に変更だけを、製作に必要とされるデータ、すなわち、例えばＳＴＬファイル等のＣＡＤファイルの形態で送信することが意図される。元の製品の製作データは、サービスプロバイダーにおいて既に利用可能であるので、したがって、元のデータを更に転送することは必要なく、単に変更データのみを転送することが必要であり、したがって、データ量が大幅に削減される。
【００９１】
したがって、本発明によれば、製造サーバー３が、ここでは、例として説明される相互ネット接続及びそれ自体を介して、又は任意選択でサーバー７に中継した後に、変更データを受信し、この変更の製作用の変更データが、元の製品の製作用の製作データと組み合わされることが意図される。
【００９２】
次に、組み合わされた全体的なデータに基づいて３Ｄ製造ユニットによって、変更された製品を実際に製作し、特に、その後、当該製品を顧客に送信することが意図される。
【００９３】
図１は、変更された製品の製作を記述した、組み合わされた全体的なデータから、変更された製品を単に視覚化したものを記述したデータが生成され、変更された製品に関するこれらの視覚化データが顧客の電気通信デバイス２に、特にサービスプロバイダーの製造サーバーを介して転送され、特に実際の依頼の前に、変更された製品を視覚化したものが顧客に再度提供されることを同様に意図することができることを更に示している。
【００９４】
図２は、製作される製品に関するロイヤルティーを利用する本発明による手順の更なる実施形態を示している。ここでは、顧客Ａが、製品、例えば住居用建物の抽象構成を販売目的でサービスプロバイダーのデータベースに最初に保存したものと仮定される。それに応じて、顧客Ａのこの製品について、１００％のロイヤルティー取り分を記憶することができる。この製品については、当初、他の顧客による変更はない。これは、この未変更の製品が別の顧客によって注文された場合の販売収入に基づいて、この販売収入の１００％が、場合によってはサービスプロバイダーのコストの控除後に、顧客Ａに支払われることを意味している。
【００９５】
本発明による方法は、他の顧客が、データカタログにおいて入手可能な既存の製品に対して変更を行うことができ、次に、これらの変更をデータカタログに記憶して、これらの変更を製作用に公に利用可能にすることもできることを意図する。図２は、顧客Ｂが、顧客Ａの元の製品に対して変更を行ったことを示している。具体的には、この例では、抽象的に示された住宅用の特定の住宅ドア及び窓形状が示されている。この例では、この変更に関して、顧客Ａの８０％のロイヤルティー取り分及び顧客Ｂの２０％のロイヤルティー取り分が記憶され、及び／又はこの変更された製品に割り当てられ、その結果、この変更された製品が別の顧客によって注文された場合、ロイヤルティーの８０％が顧客Ａに支払われ、２０％が顧客Ｂに支払われる。ここで、ロイヤルティー取り分は、例えば、元のデータに対する変更されたデータの割合が当該データの量に従って設定されるという点で決定することができる。
【００９６】
図２は、住宅の屋根の形状が顧客Ｃによって変更されたことを更に示している。これは、この変更された製品に対して、顧客Ｃの新たに変更された製品についての変更されたロイヤルティー取り分を再度割り当てることができることを意味する。具体的には、例えば、顧客Ａには７０％が割り当てられ、顧客Ｂの変更も製品に存在するので、顧客Ｂには２０％が割り当てられ、顧客Ｃには１０％が割り当てられる。ここでも、ロイヤルティー取り分は、それぞれの変更に起因して生じた個々のデータ量の部分に基づいて再度決定することができる。
【００９７】
ここで、本発明によれば、新たな顧客が変更された製品を選択する可能性がある場合に、視覚化に必要とされる変更された製品のデータのみを、ここではこの変更された製品から顧客に転送して、この製品を顧客の通信デバイス上で顧客に表示し、場合によっては、変更を行うオプションを当該顧客に与えることも意図される。その後、ここでも、これらの変更は、具体的な製作データの形態でサービスプロバイダーに実際に転送されるが、既に記憶されている元の製品及び全ての変更についての製作データは、サービスプロバイダーによって直接提供され、現在の顧客の個別の変更と組み合わされる。
【００９８】
このように、本発明による方法は、顧客とサービスプロバイダーとの間で転送されるデータ量の大幅な削減をもたらすことは明らかである。第１の削減は、全体的なカタログのサブセットのみが、具体的には、特定の識別子又はローカリティ／ローカル情報等の通信デバイスと関連付けられた情報に基づいて表示されることから達成され、さらに、データ量は、選択された製品の製作データではなく、単に視覚化データだけが顧客に転送され、顧客は、変更された製品全体の製作データではなく、必要とされ得る変更に関する自身の個別の変更の製作データだけをサービスプロバイダーに送信することから削減される。このように、上記方法及び／又は上記方法を実行するシステムは、特に、サービスプロバイダーが、カタログにおいて入手可能な多数の製品を提供し、したがって、それに対応して、潜在的な顧客からの多数の要求も処理しなければならないときに、大きな利点を提供する。
【図１】
2016524245.tif 000003
【図２】
2016524245.tif 000004
【国際調査報告】
2016524245.tif 000005
2016524245.tif 000006